(57)【特許請求の範囲】
【請求項１】
空気を加熱する熱交換器と、
前記熱交換器に空気を供給する送風機と、
前記送風機のファン回転数を変化させることにより前記送風機を風量可変に駆動するインバータと、
前記熱交換器で加熱された空気を加湿する加湿モジュールと、
前記加湿モジュールに供給される給水量を調節する給水量調節器と、
機外静圧を測定する圧力測定器と、
前記インバータにより前記送風機が駆動されたときに前記圧力測定器により測定された前記機外静圧を記憶するものであって、前記ファン回転数と予め記憶された前記機外静圧の情報とに基づき算出された前記送風機の風量に基づいて前記給水量調節器を制御する制御装置と、
を備える
空調用室内機。
【請求項２】
前記制御装置は、前記送風機の風量相当の加湿能力となる給水量が前記加湿モジュールに供給されるように前記給水量調節器を制御する請求項１に記載の空調用室内機。
【請求項３】
前記給水量調節器は、給水路を開閉する電磁弁バルブであり、
前記制御装置は、前記電磁弁バルブを断続的に開閉し給水のデューティー比を変化させることにより、一定時間あたりの給水量を調整する請求項１又は２に記載の空調用室内機。
【請求項４】
室内湿度を検出する湿度検出器をさらに備え、
前記制御装置は、前記湿度検出器により検出された室内湿度が、予め設定された要求相対湿度に達していない場合には、風量が変更されるのを抑制し加湿を優先する加湿優先制御を実施する請求項１〜３のいずれか一項記載の空調用室内機。
【請求項５】
空気を加熱する熱交換器と、
前記熱交換器に空気を供給する送風機と、
前記送風機のファン回転数を変化させることにより前記送風機を風量可変に駆動するインバータと、
前記熱交換器で加熱された空気を加湿する加湿モジュールと、
前記加湿モジュールに供給される給水量を調節する給水量調節器と、
室内湿度を検出する湿度検出器と、
前記ファン回転数と予め記憶された機外静圧の情報とに基づき算出された前記送風機の風量に基づいて前記給水量調節器を制御する制御装置と、をさらに備え、
前記制御装置は、前記湿度検出器により検出された室内湿度が、予め設定された要求相対湿度に達していない場合には、風量が変更されるのを抑制し加湿を優先する加湿優先制御を実施する
空調用室内機。
【発明の詳細な説明】
【技術分野】
【０００１】
この発明は、滴下浸透気化式加湿器を搭載した空調用室内機に関する。
【背景技術】
【０００２】
従来から、冷暖房を行う空調用室内機に加湿器を搭載し、加湿機能を追加したものがある。また、空調用室内機に搭載される加湿器として、滴下浸透気化式の加湿方式を採用したものがある。滴下浸透気化式加湿器は、加湿モジュールの上部から給水ヘッダにより水を滴下させて加湿モジュールを湿潤させ、さらに空調用室内機からの気流を加湿モジュールに通過させることにより加湿を行う。このように加湿器が搭載された空調用室内機は、暖房運転と同時に加湿器を運転することで、熱交換器により暖められた気流を加湿モジュールに通過させ、加湿効率を高めている。【０００３】
ところで、空調用室内機に搭載された滴下浸透気化式加湿器は、一定の給水量を供給し加湿を行うことが一般的である。しかしながら、通過する気流の空気条件によって加湿能力は異なるため、このような給水制御では、加湿器に供給された水が空気に付加されずに排水され、浪費される場合がある。これに対し、室内湿度と排気湿度とに基づいて加湿器の給水量を調整する加湿装置が開示されている（例えば特許文献１参照）。
【先行技術文献】
【特許文献】
【０００４】
【特許文献１】特許第３５８８７６５号公報
【発明の概要】
【発明が解決しようとする課題】
【０００５】
しかしながら、滴下浸透気化式加湿器の加湿能力は、加湿モジュールを通過する風量にも依存する。例えば、送風機がインバータ制御されている空調用室内機ではリモコン等から容易に風量が変更されるが、特許文献１のように空気の状態に基づいて給水量を調整する加湿装置では、風量が低下したとき加湿能力に対し余分に給水がなされ、水を浪費する場合がある。【０００６】
本発明は、上記のような課題を解決するためになされたもので、風量の変化に対し、加湿器に供給される水の浪費を抑制できる空調用室内機を提供することを目的とする。
【課題を解決するための手段】
【０００７】
本発明に係る空調用室内機は、空気を加熱する熱交換器と、前記熱交換器に空気を供給する送風機と、前記送風機のファン回転数を変化させることにより前記送風機を風量可変に駆動するインバータと、前記熱交換器で加熱された空気を加湿する加湿モジュールと、前記加湿モジュールに供給される給水量を調節する給水量調節器と、機外静圧を測定する圧力測定器と、前記インバータにより前記送風機が駆動されたときに前記圧力測定器により測定された前記機外静圧を記憶するものであって、前記ファン回転数と予め記憶された前記機外静圧の情報とに基づき算出された前記送風機の風量に基づいて前記給水量調節器を制御する制御装置と、を備えるものである。
本発明に係る空調用室内機は、空気を加熱する熱交換器と、前記熱交換器に空気を供給する送風機と、前記送風機のファン回転数を変化させることにより前記送風機を風量可変に駆動するインバータと、前記熱交換器で加熱された空気を加湿する加湿モジュールと、前記加湿モジュールに供給される給水量を調節する給水量調節器と、室内湿度を検出する湿度検出器と、前記ファン回転数と予め記憶された機外静圧の情報とに基づき算出された前記送風機の風量に基づいて前記給水量調節器を制御する制御装置と、をさらに備え、前記制御装置は、前記湿度検出器により検出された室内湿度が、予め設定された要求相対湿度に達していない場合には、風量が変更されるのを抑制し加湿を優先する加湿優先制御を実施するものである。
【発明の効果】
【０００８】
本発明の空調用室内機によれば、風量相当の加湿能力に応じた給水量となるように加湿器への給水を制御でき、節水効果を得ることができる。
【図面の簡単な説明】
【０００９】
【図１】本発明の実施の形態１に係る空調用室内機の内部構成を示す概略側面図である。
【図２】本発明の実施の形態１に係る制御装置の機能構成を示すブロック図である。
【図３】本発明の実施の形態１に係る空調用室内機の風量比と加湿能力比との関係を示す図である。
【図４】図３の関係を説明するための加湿能力と吸込空気温度との関係を示す説明図である。
【図５Ａ】本発明の実施の形態１に係る給水量調節器の風量比Ｘのときの開状態の時間および閉状態の時間を示す図である。
【図５Ｂ】本発明の実施の形態１に係る給水量調節器の風量比Ｙ（＜Ｘ）のときの開状態の時間および閉状態の時間を示す図である。
【発明を実施するための形態】
【００１０】
実施の形態１．
図１は、本発明の実施の形態１に係る空調用室内機の内部構成を示す概略側面図である。以下、空調用室内機１が、床上据置型の設備用パッケージエアコンの室内機である場合を例に説明する。図１には、空調対象空間である室内空間の床上に空調用室内機１が据置かれた状態が示され、また空調用室内機１の各部位の配置が示されている。
【００１１】
空調用室内機１は、外枠を構成する筐体２を備えており、筐体２内には、送風機１０、熱交換器１２、加湿器２０、制御装置１３、およびインバータ１４等が設置されている。また空調用室内機１は、加湿器２０への給水量を調節する給水量調節器２２、および利用者が操作するリモコン１１等を備えている。
【００１２】
図中の矢印３０ａおよび矢印３０ｂは、空気の流れ方向を示している。筐体２は、吸込口２ａおよび吹出口２ｂを有しており、室内空間の空気は、矢印３０ａの方向に吸込口２ａを通って筐体２内に取込まれる。筐体２内に取込まれた空気は、熱交換器１２により暖められ、加湿器２０により加湿された後、矢印３０ｂの方向に吹出口２ｂを通って吹出される。図１では、吸込口２ａは筐体２の側面の一部に形成され、また吹出口２ｂは筐体２の天板に形成されている。また筐体２の吹出口２ｂにはダクト１６が接続されており、吹出口２ｂから吹出された空気は、ダクト１６を通って室内空間へ送り出される。
【００１３】
熱交換器１２は、冷凍サイクルの一部を担っている。空調用室内機１は、図示していない空調用室外機と接続されており、空調用室外機には、圧縮機、室外熱交換器、および絞り装置等が搭載されている。熱交換器１２は、空調用室外機に搭載されたこれらの機器と配管を介して接続され、冷凍サイクルを構成している。熱交換器１２は、伝熱管および多数のフィン等から成り、冷凍サイクルに流通する冷媒と周辺空気との間で熱交換をする。空調用室内機１が暖房運転を行うときには、熱交換器１２は凝縮器として機能し、通過する空気を暖める。
【００１４】
加湿器２０は、滴下浸透気化式の加湿器であって、給水ヘッダ２３および加湿モジュール２４等で構成されている。加湿器２０の給水ヘッダ２３には給水管２１が接続されており、筐体２の外にある給水源の水が、給水管２１を通って加湿器２０に供給される。図中の矢印３１は、給水源から加湿器２０への給水方向を示している。給水ヘッダ２３は、細長いパイプ状に形成され、等間隔に、水滴下するための小さなノズルを複数備えている。給水ヘッダ２３は、加湿器２０上部に設けられており、給水源からの水を複数のノズルを通して滴下し、加湿器２０下部に設けられた加湿モジュール２４を均等に湿潤させる。加湿モジュール２４は、例えば紙状の加湿材で構成され、熱交換器１２により暖められた空気を加湿するものである。図１において、加湿器２０は、熱交換器１２に隣接して下流側に設置され、熱交換器１２で暖められた空気が直接加湿モジュール２４を通過するように構成されている。
【００１５】
給水量調節器２２は、給水源と給水ヘッダ２３との間の給水管２１に設けられ、加湿器２０に供給される給水量を調節するものである。給水量調節器２２は、開閉バルブ、または開度可変のバルブ等で構成される。以下、給水量調節器２２が電磁弁バルブ２２ａで構成され、電磁弁バルブ２２ａの開閉により給水および給水停止が切り替えられる場合を例に説明する。このような電磁弁バルブ２２ａを用いる場合には、電磁弁バルブ２２ａは、断続的な開閉により給水のデューティー比を変化させることができるので、一定時間あたりの給水量を調節することができる。給水量調節器２２は制御装置１３により制御されるが、給水制御および具体的な電磁弁バルブ２２ａの動作については後述する。
【００１６】
送風機１０は、熱交換器１２に空気を供給するものであり、ファンおよびファンモータ等で構成されている。実施の形態１において、ファンモータのモータ軸はファンに直結されており、ファンモータの回転がファンに伝達されファンが回転することにより、気流が生じる構成となっている。
【００１７】
インバータ１４は、制御装置１３に内蔵され、ファンモータに接続されている。インバータ１４は、空調用室内機１の運転中には、制御装置１３が算出したファン回転数に基づき送風機１０を駆動する。このときインバータ１４は、インバータ周波数を変えることによって、送風機１０のファン回転数を変え、風量を可変にしている。
【００１８】
リモコン１１は、情報を表示する表示部と、利用者等が操作する複数のスイッチ等を備えている。またリモコン１１は、制御装置１３と、有線または無線により相互に通信できるように接続されている。
【００１９】
制御装置１３は、例えばマイコンピュータ等で構成されている。制御装置１３は、予め設定された情報、および、リモコン１１から入力された指令等に基づいて、空調用室内機１が行う暖房、冷房および加湿等の空調を制御する。具体的には、制御装置１３は、空調用室内機１の運転中、要求される風量となるようにインバータ１４を制御するとともに、風量に応じた給水量となるように給水量調節器２２を制御する。
【００２０】
さらに空調用室内機１は、圧力測定器１５および湿度検出器２５を備えている。圧力測定器１５は、マノメーター等で構成され、圧力を検出するものである。実施の形態１において、圧力測定器１５は、空調用室内機１が室内空間に設置された状態での機外静圧を測定するのに使用される。圧力測定器１５は、ダクト１６内、または、空調用室内機１のダクト１６との連結部に設置される。湿度検出器２５は、空調用室内機１または室内空間に設置され、室内空間の相対湿度を検出する。圧力測定器１５および湿度検出器２５で取得された情報は、信号線等を介して制御装置１３に送信される。
【００２１】
図２は、本発明の実施の形態１に係る制御装置の機能構成を示すブロック図である。制御装置１３は、運転制御部１３ａと、測定部１３ｂと、風量算出部１３ｃと、給水量制御部１３ｄと、記憶部１３ｅとにより構成されている。
【００２２】
運転制御部１３ａは、空調用室内機１の運転中、要求される風量となるようにインバータ１４を制御する。運転制御部１３ａは、リモコン１１に入力された指令を受信する。また運転制御部１３ａは、利用者等にリモコン１１が操作されているとき、必要な情報を記憶部１３ｅ等から取得してリモコン１１の表示部に表示する。運転制御部１３ａは、受信した指令において要求される風量に対し、相当するファン回転数を算出する。一般に、空調用室内機１は、据え付け状態による機外静圧等の風路圧損に応じて所望の風量を指定できるように構成されている。実施の形態１においても、運転制御部１３ａは、空調用室内機１の運転中、記憶部１３ｅに記憶されているＰ−Ｑ特性を参照し、要求される風量に相当するファン回転数を算出するように構成されている。Ｐ−Ｑ特性とは、空調用室内機１に固有の機内静圧に、設置状態での機外静圧（風路抵抗）を加算した静圧と、風量との関係を示すものである。Ｐ−Ｑ特性は、予め計測され、テーブルまたは近似式化された形式等で、記憶部１３ｅに格納されている。運転制御部１３ａは、Ｐ−Ｑ特性から必要とされるファン回転数を算出し、算出したファン回転数で送風機１０が駆動されるように、インバータ１４を制御する。
【００２３】
また運転制御部１３ａは、後述する測定部１３ｂと相互に通信を行う。運転制御部１３ａは、例えば、Ｐ−Ｑ特性の計測を実施させる指令を測定部１３ｂに送信する。この場合、運転制御部１３ａは、測定部１３ｂに計測を実施させている間、インバータ１４に送風機１０を駆動させるとともに、インバータ１４の制御情報を測定部１３ｂに送信する。また運転制御部１３ａは、例えば、湿度検出器２５により検出された相対湿度の情報を、測定部１３ｂから取得する。運転制御部１３ａは、室内空間の相対湿度が、予め設定された要求相対湿度に到達していない場合には、加湿要求が満たされるように加湿を優先する加湿優先制御を実施する構成であってもよい。また、このような制御が行われている間、運転制御部１３ａは、加湿優先制御が行われている旨をリモコン１１の表示部に表示するとともに、リモコン１１からの風量変更を規制してもよい。
【００２４】
測定部１３ｂは、上記の風量制御および後述する風量の算出に必要な、Ｐ−Ｑ特性を計測する。測定部１３ｂは、運転制御部１３ａから計測の指令を受信すると、Ｐ−Ｑ特性の計測を実施する。測定部１３ｂは、計測中、運転制御部１３ａからインバータ１４の制御情報を取得するとともに、ダクト１６に設置された圧力測定器１５から圧力情報を取得する。そして測定部１３ｂは、取得した圧力情報と、予め記憶部１３ｅに記憶されている機内静圧の情報とに基づきＰ−Ｑ特性を生成し、記憶部１３ｅに格納する。Ｐ−Ｑ特性は、インバータ１４により風量制御を行うための必要な情報であるが、このような特性情報は、加湿器２０の加湿能力を決定するためにも利用される。そのため、作業者等は、空調用室内機１の据付後にリモコン１１を操作し、測定部１３ｂに上記のＰ−Ｑ特性を計測させておけばよい。
【００２５】
また測定部１３ｂは、湿度検出器２５から、室内空間の相対湿度の情報を取得する。測定部１３ｂは、取得した相対湿度の情報を、運転制御部１３ａに送信する。
【００２６】
風量算出部１３ｃは、空調用室内機１の運転中に、風量を算出する。風量算出部１３ｃは、運転制御部１３ａから運転情報を取得する。運転情報とは、例えば加湿要求の有無およびインバータ１４の制御情報等である。送風機１０はインバータ制御されているので、インバータ１４の制御情報からファン回転数が求められる。また風量算出部１３ｃは、記憶部１３ｅに記憶されているＰ−Ｑ特性を参照する。風量算出部１３ｃは、加湿要求がある場合には、送風機１０が駆動されているファン回転数と、機外静圧が加味されたＰ−Ｑ特性とに基づき、送風機１０の風量を算出する。風量算出部１３ｃは、算出した送風機１０の風量を、給水量制御部１３ｄに送信する。
【００２７】
給水量制御部１３ｄは、風量相当の加湿能力となる給水量が加湿モジュール２４に供給されるように、給水量調節器２２を制御する。給水量制御部１３ｄは、算出された風量を風量算出部１３ｃから受信し、電磁弁バルブ２２ａに制御信号を送信する。給水量制御部１３ｄは、加湿モジュール２４が、算出された風量に対し必要最小限の水量で湿潤されるように、給水量を設定する。また給水量制御部１３ｄは、設定した給水量が供給されるように電磁弁バルブ２２ａの開閉を制御する。具体的には、給水量制御部１３ｄは、電磁弁バルブ２２ａの給水のデューティー比を変化させることで、一定時間あたりの給水量を調整している。
【００２８】
次に、図３および図４に基づき、給水量制御部１３ｄが必要給水量を設定する方法について説明する。図３は、本発明の実施の形態１に係る空調用室内機の風量比と加湿能力比との関係を示す図である。図４は、図３の関係を説明するための加湿能力と吸込空気温度との関係を示す説明図である。
【００２９】
必要給水量は、図３に示されるような、風量比と加湿能力比との関係から算出される。以降の説明において風量比が１とは、空調用室内機１の定格風量の仕様値を表すものとする。また、図３に示されるような、風量比に対する加湿能力比の傾きは、加湿モジュール２４の加湿材の種類等に依存する。定格風量（風量比が１）における任意の温湿度での加湿能力を、加湿能力比が１として設定している。例えば、風量比が０．８の時に加湿能力比が０．８５となる場合には、必要な給水量も、単純に加湿能力１００％時の給水量の０．８５倍とする。このような風量比と給水能力比との関係は加湿器２０ごとに特性が異なるため、予め取得してテーブルまたは近似式化した形式で記憶部１３ｅに記憶しておくのがよい。
【００３０】
図３には、温湿度が一定の場合について加湿能力比が示されていたが、加湿能力は、例えば図４に示されるように、温度および湿度等によって異なる。図４は、風量を定格風量（風量比が１）として固定し、空調用室内機１が任意の温度および相対湿度の空気を吸込み、加湿器２０にその空気が通過した際の加湿能力を示している。図中、Ｗ１は相対湿度がＨ１のときの加湿能力、Ｗ２は相対湿度がＨ２のときの加湿能力、またＷ３は相対湿度がＨ３のときの加湿能力を示している。ここで相対湿度Ｈ１、Ｈ２およびＨ３は、Ｈ１＜Ｈ２＜Ｈ３の関係となっている。必要な給水量を設定するために必要な図３の関係は、例えば、図４において平均的な湿度の加湿能力を代表値として採用しているが、特にこれに限定されない。例えば、複数の空気条件についてそれぞれ図３のような関係を取得しておき、必要な給水量の設定において、温湿度による加湿能力の変化も加味されるように構成してもよい。
【００３１】
次に、図５Ａおよび図５Ｂに基づき、給水量制御部１３ｄにより給水制御が行われているときの給水量調節器２２の動作について説明する。図５Ａは、本発明の実施の形態１に係る給水量調節器の風量比Ｘのときの開状態の時間および閉状態の時間を示す図である。図５Ｂは、本発明の実施の形態１に係る給水量調節器の風量比Ｙ（＜Ｘ）のときの開状態の時間および閉状態の時間を示す図である。
【００３２】
図５Ａおよび図５Ｂには、電磁弁バルブ２２ａの経時的な開閉状態の変化が示されている。図中、電磁弁バルブ２２ａが開状態の時間はｔ１で示され、電磁弁バルブ２２ａが閉状態の時間はｔ２で示されている。加湿能力比が１（給水量比が１）であるときの給水能力をＡ［ｋｇ／ｈ］とすると、図５Ａに示されるように、風量比がＸの場合に加湿能力比（給水量比）がαとすると、このとき必要な給水量はαＡ［ｋｇ］となる。仮に、１時間の運転で考えると、給水時間は、αＡ［ｋｇ］／Ａ［ｋｇ／ｈ］＝α［ｈ］となり、給水停止時間は、（１−α）［ｈ］となる。つまり、給水能力（給水圧力）一定で加湿能力比がαの場合、電磁弁バルブ２２ａの開状態の時間ｔ１および閉状態の時間ｔ２の関係を以下の（式１）のように設定することで、給水量は、加湿能力を発揮するために必要な水量に調整される。
【００３３】
［数１］
ｔ１：ｔ２＝α：（１−α）・・・（式１）
【００３４】
なお加湿能力比は、加湿器２０ごとに定義されるものであり、その最小値（最低給水量）は、加湿器２０の構成およびサイズ等に依存している。
【００３５】
図５Ａおよび図５Ｂには、風量比が異なる場合において、電磁弁バルブ２２ａの断続運転において１回あたりの開状態の時間ｔ１を一定とし、１回あたりの閉状態の時間ｔ２を変えることにより、給水量が調節されている。つまり、電磁弁バルブ２２ａの制御において、風量比Ｘの場合にはデューティー比を大きくして給水量を多くし、風量比Ｙ（＜Ｘ）の場合には、風量比Ｘの場合に比べデューティー比を小さくして給水量を少なくしている。
【００３６】
次に、空調用室内機１により室内空間の空調が行われるときの作用について説明する。
【００３７】
リモコン１１を介して空調用室内機１に暖房運転が設定されると、送風機１０のファンが始動する。ファンの回転により外気は空調用室内機１に吸込まれ、熱交換器１２を通過するとともに暖められる。暖められた空気は、続いて加湿器２０の加湿モジュール２４を通過が、このとき加湿モジュール２４を湿潤している水は気化し、通過する空気と共に空調用室内機１から吹出される。空調用室内機１で暖められ加湿された空気は、ダクト１６を通って室内空間に供給され、室内を加湿する。
【００３８】
空調用室内機１の運転中、つまり送風機１０が回転しているとき、リモコン１１等の指令によりファン回転数が変更されると、それに伴って機外静圧および風量が変化し、これにより加湿能力も変化する。給水量調節器２２は、加湿能力に相当する適切な給水量になるように調節されるため、空気に付加されずに加湿器２０から排出される水の量は低減される。
【００３９】
また空調用室内機１の運転中、室内空間の相対湿度が、予め設定された要求相対湿度に到達していない場合には、リモコン１１等からの風量変更の操作が規制される。室内空間の相対湿度が低いときには加湿が続行されるので、空調用室内機１は、相対湿度が要求相対湿度に近づくように快適な空調を提供できる。
【００４０】
以上のように、実施の形態１において空調用室内機１は、空気を加熱する熱交換器１２と、熱交換器１２に空気を供給する送風機１０と、送風機１０を風量可変に駆動するインバータ１４と、熱交換器１２で加熱された空気を加湿する加湿モジュール２４と、加湿モジュール２４に供給される給水量を調節する給水量調節器２２と、送風機１０の風量に基づいて給水量調節器２２を制御する制御装置１３と、を備えるものである。
【００４１】
これより、空調用室内機１は、風量に応じた適度な給水量となるように加湿器２０への給水を制御することができ、節水効果を得ることができる。特に、空調用室内機１が、リモコン１１により風量変更される、または、暖房運転に風量制御が含まれる構成であっても、風量に応じて加湿器２０への給水量が調節されるため、風量の変化に対して、常時節水効果を得ることができる。
【００４２】
また、インバータ１４は、送風機１０のファン回転数を変化させることにより送風機１０の風量を可変するものである。これより、インバータ制御される送風機１０が使用されることにより、制御装置１３は、インバータ１４の制御情報に基づいて風量を算出し、給水量を設定することができる。
【００４３】
また、制御装置１３は、ファン回転数と、予め記憶された機外静圧の情報とに基づき、送風機１０の風量を算出する。これより、制御装置１３は、空調用室内機１が室内空間に設置された状態での機外静圧を加味した風量を算出することができる。そのため、制御装置１３は、空調用室内機１の据付状態に適した給水量を設定できる。
【００４４】
また、空調用室内機１は、機外静圧を測定する圧力測定器１５をさらに備え、制御装置１３は、インバータ１４により送風機１０が駆動されたときに圧力測定器１５により測定された機外静圧を記憶する。これより、制御装置１３は、圧力測定器１５により取得した機外静圧に基づき空調用室内機１のＰ−Ｑ特性等を生成し、運転時にはＰ−Ｑ特性を風量の算出に使用することができる。
【００４５】
また、制御装置１３は、送風機１０の風量相当の加湿能力となる給水量が加湿モジュール２４に供給されるように給水量調節器２２を制御する。これより、制御装置１３は、加湿能力を発揮するために必要な最少の給水量で加湿を行うことができ、空気に付加されずに排水される水量をさらに低減できる。
【００４６】
また、給水量調節器２２は、給水路を開閉する電磁弁バルブ２２ａであり、制御装置１３は、電磁弁バルブ２２ａを断続的に開閉し給水のデューティー比を変化させることにより、一定時間あたりの給水量を調整する。これより、給水量調節器２２として、開度調整できる弁ではなく、安価で小型の開閉弁を利用することができ、低コストで給水制御が実現できる。また、電磁弁バルブ２２ａは断続的に開閉されるので、開閉の切り替え周期を短く設定すれば、開状態と閉状態とにおいて、加湿モジュール２４に含まれる水分量はほぼ一定に維持される。
【００４７】
また、空調用室内機１は、室内湿度を検出する湿度検出器２５をさらに備え、制御装置１３は、湿度検出器２５により検出された室内湿度が、予め設定された要求相対湿度に達していない場合には、風量が変更されるのを抑制し加湿を優先する加湿優先制御を実施する。これより、室内空間の湿度に応じて加湿が優先されるので、風量可変であっても、空調用室内機１は、要求相対湿度に近づくように加湿を行うことができる。
【００４８】
なお、本発明の実施の形態は上記実施の形態に限定されず、種々の変更を行うことができる。例えば、空調用室内機１が床置き型である場合について説明したが、特にこれに限定されない。空調用室内機１は、天井または壁面に設置されるものであってもよい。この場合、供給される水が加湿モジュール２４に浸透しやすいよう、加湿器２０の配置、および、吹出口２ｂおよび吸込口２ａを設ける位置等を工夫すればよい。
【００４９】
また、制御装置１３が、圧力測定器１５により機外圧力を測定し、風量を算出する場合について説明したが、風速計により風速を測定し、風量を算出する構成であってもよい。
【００５０】
なお、図１には、加湿器２０が熱交換器１２に沿うように配置された場合について示されるが、筐体２内における加湿器２０の配置は、熱交換器１２で暖められた空気が加湿器２０を通過する配置であれば、どのように配置されてもよい。
【符号の説明】
【００５１】
１  空調用室内機、２  筐体、２ａ  吸込口、２ｂ  吹出口、１０  送風機、１１  リモコン、１２  熱交換器、１３  制御装置、１３ａ  運転制御部、１３ｂ  測定部、１３ｃ  風量算出部、１３ｄ  給水量制御部、１３ｅ  記憶部、１４  インバータ、１５  圧力測定器、１６  ダクト、２０  加湿器、２１  給水管、２２  給水量調節器、２２ａ  電磁弁バルブ、２３  給水ヘッダ、２４  加湿モジュール、２５  湿度検出器、３０ａ，３０ｂ  空気の流れ方向、３１  給水方向。
【図１】
0006745906.tif 000002
【図２】
0006745906.tif 000003
【図３】
0006745906.tif 000004
【図４】
0006745906.tif 000005
【図５Ａ】
0006745906.tif 000006
【図５Ｂ】
0006745906.tif 000007